(57)【要約】【課題】  ヒール部分の内部に装飾体を有する靴を製造する際に、装飾体が取れたり邪魔になったりしないような工程が行え、かつ、履き心地の悪くならないヒール部品及び靴を提供することを課題とする。【解決手段】  上記課題を解決するため、ヒール部品の該透明部分の内部に開口部を有する空洞部を形成し、開口部の周縁に接触面よりも低い段差面を設け、この段差面に装飾体が取り付けられたはめ込み板をはめ込む。【選択図】図１
0003118958.tif 000002
【実用新案登録請求の範囲】
【請求項１】
外部から視認可能な透明部分を有し、アッパー部品とその上面で結合して靴を形成するヒール部品であって、
該透明部分の内部に形成された空洞部と、
該アッパー部品と接触する接触面と、
該空洞部の該上面側に開口する開口部と、
該接触面よりも低い位置に形成された段差面とを備え、
該段差面は該開口部の周縁の少なくとも一部に形成されているヒール部品。
【請求項２】
平面視において該開口部及び該段差面で形成される形状と略一致する形状を有し、該段差面の深さと略一致しする厚みを有するはめ込み板と、該はめ込み板の一方の面に取り付けられた装飾体とをさらに備え、該装飾体の取り付けられた面が該空洞部側になるように、該はめ込み板が該段差面にはめ込まれた請求項１記載のヒール部品。
【請求項３】
請求項１または２記載のヒール部品を使用した靴。
【考案の詳細な説明】
【技術分野】
【０００１】
本考案は、透明なヒール部分に空洞部を設けて内部の装飾体が見えるようにした靴とその靴に使用されるヒール部品に関するものである。
【背景技術】
【０００２】
靴は、甲皮等で形成されるアッパー部分と、ソール部品やヒール部品などを有する靴底部分とで形成される。特にヒールの高いような靴であれば、アッパー部分と靴底部分とは別の工程で製造され、その後両部分が結合されて、靴が完成するのが一般的である。これは、甲皮の代りにかけ紐を使用するサンダルでも同様である。図３は、サンダルのアッパー部分３１の断面図である。サンダルのアッパー部分３１は、中敷板３２に中底３４がつり込まれるのと同時に、かけ紐３５も中敷板３２の裏に回された状態で、下から薄皮３３が張り合わされる。甲皮を有する靴であれば、かけ紐３５が甲皮となる。一方、靴底部分は前方から中央の靴底にあたるソール部品とかかと側の靴底にあたるヒール部品を結合して作られる。そして、アッパー部分と靴底部分が結合されることで、サンダルが完成する。
【０００３】
近年、靴のデザインが多様化し、ソール部分を透明化し、意匠効果を高めるものもある（例えば特許文献１参照）。さらに、静的な装飾ではなく、動的な装飾が施されたものもある。例えば、人の動きに伴って発光する部品が取り付けられたものや、ヒール部分に空洞部分を設け、そこに紐状の装飾体を取り付けられたものがある。このヒール部分に取り付けられた装飾体は、歩くたびに空洞部分内でゆれるため、装飾効果が高く、ヒールの高いエレガントな靴に適している。
【０００４】
この装飾体を内部に有するヒール部品を備える靴の第１の製造方法として、中敷板３２に装飾体を取り付け、後は従来どおり、中敷板３２に表皮３４をつり込む等してアッパー部分３１を製造する。その後、空洞部分を有するヒール部品の空洞部にチャームが位置するように結合するという方法がある。また、第２の製造方法として、アッパー部分と空洞部を有するヒール部品との間に装飾体が取り付けられたボードを挿入し、空洞部に装飾体が入るように各部品を結合するという方法がある。
【特許文献１】特開平１１−１５５６０４
【考案の開示】
【考案が解決しようとする課題】
【０００５】
ところが、第１の方法では、アッパー部分の製造工程のかなり早い段階で中敷板３２に装飾体が取り付けられるため、アッパー部分の製造工程のほとんどが装飾体が取り付けられた状態で行われることになる。そうすると、作業工程中で装飾体が取れてしまったり、装飾体が作業の邪魔になってしまったりするおそれがある。また、第２の方法では、装飾体の取り付けられた板が入っている部分は、他の部分と段差を生じ、中敷の一部が盛り上がった状態になる。そのため、履き心地が悪くなるという問題がある。
【０００６】
そこで本考案では、ヒール部分の内部に装飾体を有する靴を製造する際に、装飾体が取れたり邪魔になったりしないような工程が行え、かつ、履き心地の悪くならないヒール部品及び靴を提供することを課題とする。
【課題を解決するための手段】
【０００７】
上記課題を解決するため、本願考案に係るヒール部品は、外部から視認可能な透明部分を有し、アッパー部品とその上面で結合して靴を形成するヒール部品であって、該透明部分の内部に形成された空洞部と、該アッパー部品と接触する接触面と、該空洞部の該上面側に開口する開口部と、該接触面よりも低い位置に形成された段差面とを備え、該段差面は該開口部の周縁の少なくとも一部に形成されている。
【０００８】
かかる構造によれば、ヒール部品の内部に装飾体を有する靴を製造する際に、装飾体を有する板を段差面に取り付けることができる。よって、装飾体はアッパー部品側の構成部品でなくなるため、アッパー部品の製造工程において装飾体が取れたり邪魔になったりすることはない。また、装飾体が取り付けられた板と接触面との段差をなくすことができるため、靴の内部で盛り上がる部分も生じず、履き心地が悪くなることもない。
【０００９】
また、上記ヒール部品において、平面視において該開口部及び該段差面で形成される形状と略一致する形状を有し、該段差面の深さと略一致しする厚みを有するはめ込み板と、該はめ込み板の一方の面に取り付けられた装飾体とをさらに備え、該装飾体の取り付けられた面が該空洞部側になるように、該はめ込み板が該段差面にはめ込まれるようにしてもよい。ここで「平面視」とは、上記ヒール部品の上面方向から上記開口部等を平面的に見た場合という意味である。
【００１０】
また、上記課題を解決するため、本願考案に係る靴は、上記ヒール部品を使用する。
【考案の効果】
【００１１】
本考案によれば、チャーム等の装飾体をアッパー側に取り付ける必要がなく、また、装飾体の取り付けられたボードと接触面とに段差が生じることもない。よって、ヒール部分の内部にチャーム等の装飾体が取り付けられた靴を製造する際に、装飾体が取れたり邪魔になったりしないようなことがなく、かつ、履き心地が悪くならないヒール部品及び靴を提供することができる。
【考案を実施するための最良の形態】
【００１２】
本願考案にかかるヒール部品を実施するための最良の形態について、図を参照しつつ以下に説明する。
【００１３】
図１は、本願考案にかかるヒール部品１の分解状態の斜視図である。本実施形態では、土踏まず部分から踵部分にかけて徐々に厚みが増していくウェッジヒール型のヒール部品１について説明する。ヒール部品１は上面でアッパー部品２２（図２参照）と接し、結合される。ヒール部品１は、ヒール部品本体２及び蓋部分３の２つの部分に分けることができる。図１はこの２つの部分に分解された状態の図である。ヒール部品１は、ヒール部品本体２と蓋部分３とが結合することによって完成する。蓋部分３は、はめ込み板４と装飾体５とで構成されているため、ヒール部品１は、蓋部分３に取り付けられた装飾体５を外部から確認することができる。各部分の詳細を以下に説明する。
【００１４】
ヒール部品本体２の上面は後方の幅が狭くなっているが、前方の幅は両側に広がっている。前方の幅が広がっているのは、幅の広いソール部分２３（図２参照）と結合するためである。なお、図１では、矢印の指す方向Fが前方方向である。ヒール部品本体２は、前方の透明部分６と、後方の不透明部分７と、底の裏底部分８とで構成されている。透明部分６は側面方向から見た場合、前方から後方にかけて徐々に厚さが増しており、前方を鋭角とするくさび型の形状となっている。透明部分６は、全体が透明であるため、側面側等の外部から透明部分６の内部をはっきりと見ることができる。これにより、透明部分６の内部にチャーム等の装飾体５が入った場合には、外部からその装飾体５をはっきりと確認することができる。
【００１５】
透明部分６の内部には、空洞部９が形成されている。空洞部９は、上面側から見た場合、靴の前後方向に伸延する略長方形の形状を有している。空洞部９は、前方が浅く、後方になるに従って深くなっている。前後方向を含んだ縦断面上では、空洞部９は前方を鋭角とするくさび型の形状となっている。つまり、空洞部９は、透明部分６の形状に近い形状を有している。透明部分６が空洞部９を有することにより、装飾体５が空洞部９内で揺れ動くことが可能となる。よって、ヒール部品１の装飾効果が高められる。また、空洞部９が透明部分６の形状に近い形状であるため、無駄なく空洞部９を大きくとることができる。空洞部９の体積が増えれば、装飾体５が空洞部９内でより大きく揺れることができる。さらに、空洞部９を大きくとることができれば、透明部分６の壁面が薄くなるため、より鮮明に透明部分６内部を見ることができる。ただし、空洞部９の体積の増加は、人が飛び跳ねてヒール部品１に大きな力がかかってもヒール部品１が壊れない範囲で行われなければならない。
【００１６】
空洞部９は上面側に開口する開口部１２を有している。開口部１２は、空洞部９の上面側全体にわたっている。空洞部９が開口部１２を有することにより、後の工程で装飾体５を空洞部９に取り付けることができる。また、開口部１２が空洞部９の上面側全体にわたっていることで、開口部１２の面積が大きくなる。このように開口部１２を大きくすることで、空洞部９を有効に利用することができる。つまり、装飾体５を開口部１２いっぱいに取り付けることができるため、空洞部９のより広い範囲で装飾体５が揺れ動くことが可能となる。
【００１７】
開口部１２の左右両側縁には段差面１０が形成されている。段差面１０は、アッパー部品２２（図２参照）と接触する接触面１１よりも一段低い位置に形成されている。段差面１０は、はめ込み板４と接する面である。はめ込み板４が接触面１１ではなく、接触面より一段低い段差面１０と接触することにより、接触面１１とはめ込み板４とにより、大きな段差のない上面を形成することが可能である。はめ込み板４を接触面１１に乗せた状態で、アッパー部分２２と結合すると、はめ込み板４と接触面１１とが重なった部分は、他の部分よりも高くなる。そうすると、靴の中敷がその部分だけ盛り上がって、履き心地が悪くなってしまう。ところが、上記のようにヒール部品１の上面に大きな段差がなければ、中敷きも平らとなるため、靴の履き心地に悪影響を与えることは無い。ここで、本実施形態に係るヒール部品１では、段差面１０は開口部１２の左右両側面にのみ形成されており、開口部１２の全周に渡って形成されていない。このように、段差面１０は開口部１２の周縁の全てに形成されている必要はなく、少なくとも一部に形成されていればよい。開口部１２の周縁の一部にのみ段差面１０が形成されている場合であっても、はめ込み板４を安定して支えることができるからである。ただし、段差面１０の面積が少なく、はめ込み板４が不安定になるようなものであってはならない。
【００１８】
はめ込み板４は、平面視において、開口部１２及び段差面１０で形成される形状と略一致する形状を有している。また、はめ込み板４の厚みは、段差面１０の深さと略一致する。本実施形態では、段差面１０は開口部１２の左右両側には設けられているが、前後側には設けられていない。この場合、上記の「開口部１２及び段差面１０で形成される形状」とは、左右は段差面１０と接触面１１との境界部分、前後は開口部１２の前後の縁端によって囲まれる形状である。また、はめ込み板４が段差面１０の部分に隙間なくはまることで、ヒール部品本体２と安定して結合することができる。また、はめ込み板４の厚みは、段差面１０の深さと略一致するため、完成体であるヒール部品１の上面は大きな段差がなくなる。これにより、中敷の一部に盛り上が生じることもなくなる。また、はめ込み板４には、可撓性の柔らかい材料が使用されることが望ましい。開口部１２及び段差面１０で形成される形状にフィットしやすく、また、装飾体５を取り付ける穴１３が容易に空けられるためである。なお、はめ込み板４には、あまり強度が要求されないが、使用していくと陥没するような極端に強度の低くいものであってはならない。
【００１９】
装飾体５は、はめ込み板４の一方の面に取り付けられている。装飾体５として、ひも状のチャームが使用される。はめ込み板４には２つ穴１３が空けられており、この穴１３に装飾体５に取り付けられた紐１４を通して結ぶことで、はめ込み板４が装飾体５に固定される。また、装飾体５が揺れ動くことができるように、装飾体５をたるませた状態ではめ込み板４に取り付けられている。なお、はめ込み板４の２つの穴１３を大きく離すことで、装飾体５の揺れ動く範囲を広くすることができる。
【００２０】
ヒール部品本体２及び蓋部分４がそれぞれ製造された後で、両者は結合される。結合は、装飾体５の取り付けられた面がヒール部品本体２側になるように、はめ込み板４が段差面１０にはめ込まれることにより行われる。これにより、ヒール部品１は完成する。
【００２１】
以上、本願考案に係るヒール部品１を実施するための最良の形態について説明した。
【００２２】
次に、本願考案に係る靴を実施するための、最良の形態について図を参照しつつ説明する。
【００２３】
図２は、本願考案にかかる靴２１の側面図である。本実施形態では、サンダルを例にとって説明する。本実施形態にかかる靴２１は、アッパー部品２２と、ソール部品２３と、ヒール部品１とから成る。ヒール部品１は、図１のヒール部品１が使用される。アッパー部品２２、ソール部品２３及びヒール部品１は、それぞれ別の工程で製造される。そして、ヒール部品１とソール部品２３が結合されて靴底部分２４が形成される。さらに、この靴底部分２４とアッパー部品２２とが結合することにより靴２１が完成する。
【００２４】
装飾体５はヒール部品１に含まれており、アッパー部品２２の構成部品ではない。よって、本実施形態に係るアッパー部品２２の製造工程は、通常のサンダルのアッパー部品を作る工程と同じとなる。そのため、アッパー部品２２の製造工程中に装飾体５が切れたり、装飾体５が作業の邪魔になったりすることはなく、アッパー部品２２の製造作業を効率よく行うことができる。また、ヒール部品１の製造工程において、装飾体５の付いたはめ込み板４をヒール部品本体２に取り付ける工程は最後に行われる。よって、ヒール部品１の製造工程において、装飾体５が邪魔になることはほとんどない。つまり、図１のヒール部品１を使用することで、靴２１の製造工程全体として、効率的な作業が行えるようになる。
【００２５】
また、上述のように、図２のサンダルに使用されている図１のヒール部品１の上面には大きな段差がないため、中敷きに盛り上がりができない。よって、履いても足裏に違和感のない靴２１を作ることができる。
【００２６】
以上、本願考案にかかる靴の最良の形態について説明した。
【００２７】
以上では、本実施形態にかかる靴２１をサンダルとしたが、サンダルに代えて、甲皮を有する靴２１としてもよい。この場合、図２のかけ紐２５を甲皮にすることで、甲皮を有する靴とすることができる。
【００２８】
また、以上では、ヒール部品１がウェッジヒール型である場合について説明したが、ウェッジヒール型以外のヒール部品１であってもよい。例えば、前後方向に同じ厚みを有するヒール部品であってもよい。
【産業上の利用可能性】
【００２９】
本願考案によれば、ヒール部分の内部にチャーム等の装飾体が取り付けられた靴を製造する際に、装飾体が取れたり邪魔になったりしないようなことがなく、かつ、履き心地が悪くならないヒール部品及び靴を提供することができる。よって、靴の技術分野において、特に透明部分を有するヒール部品の技術分野に有益である。
【図面の簡単な説明】
【００３０】
【図１】図１は、本実施形態にかかるヒール部品を分解した状態の斜視図である。
【図２】図２は、図１のヒール部品を用いた靴の側面図である。
【図３】図３は、従来のアッパー部品の断面図である。
【符号の説明】
【００３１】
１  ヒール部品
４  はめ込み板
５  装飾体
６  透明部分
９  空洞部
１０  段差面
１１  接触面
１２  開口部
２１  靴
２２  アッパー部品
【図１】
0003118958.tif 000003
【図２】
0003118958.tif 000004
【図３】
0003118958.tif 000005